(57)【要約】      （修正有）【課題】画像再生時に目的とする画像をモニタに素早く表示させることができる画像記録再生装置を提供する。【解決手段】十字ボタンの右キーを押圧操作すると、モニタ３２に再生表示されている画像の次のファイル番号の画像がモニタ３２に再生表示され、左キーを押圧操作すると、モニタ３２再生表示されている画像データの前のファイル番号の画像がモニタ３２に再生表示される。また、十字ボタンの上キーを押圧操作すると、モニタ３２に再生表示されている画像の次の撮影日の先頭ファイル番号の画像がモニタ３２に再生表示され、下キーを押圧操作すると、モニタ３２に再生表示されている画像の前の撮影日の先頭ファイル番号の画像がモニタ３２に再生表示される。【選択図】図３
2005277971.tif 000002
【特許請求の範囲】
【請求項１】
撮像手段で撮像された画像データを記録メディアに記録する画像記録機能と、前記記録メディアに記録された画像データをモニタに再生表示する画像再生機能とを備えた画像記録再生装置において、
撮影日時を計測する計時手段と、
前記撮像手段で撮像された画像データに前記計時手段で計測された撮影日時の情報を付加するとともに、撮影順にファイル番号を付与して前記記録メディアに記録させる記録制御手段と、
押圧操作されることにより、前記モニタに再生表示されている画像データの次のファイル番号の画像データが前記モニタに再生表示されるように順コマ送りを指示する順コマ送りボタンと、
押圧操作されることにより、前記モニタに再生表示されている画像データの前のファイル番号の画像データが前記モニタに再生表示されるように逆コマ送りを指示する逆コマ送りボタンと、
押圧操作されることにより、前記モニタに再生表示されている画像データの次の撮影日の先頭ファイル番号の画像データが前記モニタに再生表示されるように順日付送りを指示する順日付送りボタンと、
押圧操作されることにより、前記モニタに再生表示されている画像データの前の撮影日の先頭ファイル番号の画像データが前記モニタに再生表示されるように逆日付送りを指示する逆日付送りボタンと、
前記順コマ送りボタン、前記逆コマ送りボタン、前記順日付送りボタン、前記逆日付送りボタンからの指示に応じて前記記録メディアに記録されている画像データの前記モニタへの再生表示を制御する再生制御手段であって、前記順コマ送りボタンから順コマ送りの指示を受けると、前記記録メディアに記録されている各画像データのファイル番号の情報に基づき前記モニタに再生表示されている画像データの次のファイル番号の画像データを前記モニタに再生表示させ、前記逆コマ送りボタンから逆コマ送りの指示を受けると、前記記録メディアに記録されている各画像データのファイル番号の情報に基づき前記モニタに再生表示されている画像データの前のファイル番号の画像データを前記モニタに再生表示させ、前記順日付送りボタンからの順日付送りの指示を受けると、前記記録メディアに記録されている各画像データの撮影日時の情報に基づき前記モニタに再生表示されている画像データの次の撮影日の先頭ファイル番号の画像データを前記モニタに再生表示させ、前記逆日付送りボタンからの逆日付送りの指示を受けると、前記記録メディアに記録されている各画像データの撮影日時の情報に基づき前記モニタに再生表示されている画像データの前の撮影日の先頭ファイル番号の画像データを前記モニタに再生表示させる再生制御手段と、
を備えたことを特徴とする画像記録再生装置。
【請求項２】
上下左右の４つのボタンからなる十字ボタンを備え、
前記十字ボタンの左右いずれか一方に前記順コマ送りボタン、他方に前記逆コマ送りボタン、上下いずれか一方に前記順日付送りボタン、他方に前記逆日付送りボタンの機能が割り当てられる、
又は、
前記十字ボタンの上下いずれか一方に前記順コマ送りボタン、他方に前記逆コマ送りボタン、左右いずれか一方に前記順日付送りボタン、他方に前記逆日付送りボタンの機能が割り当てられることを特徴とする請求項１に記載の画像記録再生装置。
【請求項３】
１組の操作ボタンと、
１つのファンクションボタンと、
を備え、
前記１組の操作ボタンのいずれか一方に前記順コマ送りボタン、他方に前記逆コマ送りボタンの機能が割り当てられるとともに、前記ファンクションボタンを押圧操作しながら前記１組の操作ボタンを操作することにより、該１組の操作ボタンのいずれか一方に前記順日付送りボタン、他方に前記逆日付送りボタンの機能が割り当てられることを特徴とする請求項１に記載の画像記録再生装置。
【請求項４】
前記順日付送りボタンからの順日付送りの指示に応じて前記モニタに再生表示されている画像データの次の撮影日の画像データの総数を前記記録メディアに記録されている各画像データの撮影日時の情報に基づき算出するとともに、前記逆日付送りボタンからの逆日付送りの指示に応じて前記モニタに再生表示されている画像データの前の撮影日の画像データの総数を前記記録メディアに記録されている各画像データの撮影日時の情報に基づき算出する撮影日コマ数演算手段を備え、
前記再生制御装置は、前記順日付送りボタンからの順日付送りの指示に応じて前記モニタに再生表示されている画像データの次の撮影日の先頭ファイル番号の画像データを前記モニタに再生表示させるとともに前記撮影日コマ数演算手段で算出された画像データの総数を前記モニタに表示させ、前記逆日付送りボタンからの逆日付送りの指示に応じて前記モニタに再生表示されている画像データの前の撮影日の先頭ファイル番号の画像データを前記モニタに再生表示させるとともに前記撮影日コマ数演算手段で算出された画像データの総数を前記モニタに表示させることを特徴とする請求項１、２又は３に記載の画像記録再生装置。
【請求項５】
撮像手段で撮像された画像データを記録メディアに記録する画像記録機能と、前記記録メディアに記録された画像データをモニタに再生表示する画像再生機能とを備えた画像記録再生装置において、
前記撮像手段による撮像時にＧＰＳ衛星から電波を受信し、該電波から緯度と経度からなる位置情報を取得するＧＰＳ受信手段と、
前記撮像手段で撮像された画像データに前記ＧＰＳ受信手段で得られた位置情報を付加するとともに、撮影順にファイル番号を付与して前記記録メディアに記録させる記録制御手段と、
押圧操作されることにより、前記モニタに再生表示されている画像データの次のファイル番号の画像データが前記モニタに再生表示されるように順コマ送りを指示する順コマ送りボタンと、
押圧操作されることにより、前記モニタに再生表示されている画像データの前のファイル番号の画像データが前記モニタに再生表示されるように逆コマ送りを指示する逆コマ送りボタンと、
押圧操作されることにより、前記モニタに再生表示されている画像データの次に緯度又は経度の高い画像データが前記モニタに再生表示されるように順地域送りを指示する順地域送りボタンと、
押圧操作されることにより、前記モニタに再生表示されている画像データの次に緯度又は経度の低い画像データが前記モニタに再生表示されるように逆地域送りを指示する逆地域送りボタンと、
前記順コマ送りボタン、前記逆コマ送りボタン、前記地域送りボタン、前記逆地域送りボタンからの指示に応じて前記記録メディアに記録されている画像データの前記モニタへの再生表示を制御する再生制御手段であって、前記順コマ送りボタンから順コマ送りの指示を受けると、前記記録メディアに記録されている各画像データのファイル番号の情報に基づき前記モニタに再生表示されている画像データの次のファイル番号の画像データを前記モニタに再生表示させ、前記逆コマ送りボタンから逆コマ送りの指示を受けると、前記記録メディアに記録されている各画像データのファイル番号の情報に基づき前記モニタに再生表示されている画像データの前のファイル番号の画像データを前記モニタに再生表示させ、前記順地域送りボタンからの順地域送りの指示を受けると、前記記録メディアに記録されている各画像データの位置情報に基づき前記モニタに再生表示されている画像データの次に緯度又は経度の高い画像データを前記モニタに再生表示させ、前記逆地域送りボタンからの逆地域送りの指示を受けると、前記記録メディアに記録されている各画像データの位置情報に基づき前記モニタに再生表示されている画像データの次に緯度又は経度の低い画像データを前記モニタに再生表示させる再生制御手段と、
を備えたことを特徴とする画像記録再生装置。
【請求項６】
上下左右の４つのボタンからなる十字ボタンを備え、
前記十字ボタンの左右いずれか一方に前記順コマ送りボタン、他方に前記逆コマ送りボタン、上下いずれか一方に前記順地域送りボタン、他方に前記逆地域送りボタンの機能が割り当てられる、
又は、
前記十字ボタンの上下いずれか一方に前記順コマ送りボタン、他方に前記逆コマ送りボタン、左右いずれか一方に前記順地域送りボタン、他方に前記逆地域送りボタンの機能が割り当てられることを特徴とする請求項５に記載の画像記録再生装置。
【請求項７】
１組の操作ボタンと、
１つのファンクションボタンと、
を備え、
前記１組の操作ボタンのいずれか一方に前記順コマ送りボタン、他方に前記逆コマ送りボタンの機能が割り当てられるとともに、前記ファンクションボタンを押圧操作しながら前記１組の操作ボタンを操作することにより、該１組の操作ボタンのいずれか一方に前記順地域送りボタン、他方に前記逆地域送りボタンの機能が割り当てられることを特徴とする請求項５に記載の画像記録再生装置。
【請求項８】
前記ＧＰＳ受信手段で取得される位置情報に対応する地域名の情報が記憶された地域名記憶手段と、
前記モニタに再生表示される画像データの位置情報に基づいて該画像データの撮影地名を前記地域名記憶手段から取得する撮影地名取得手段と、
を備え、前記再生制御装置は、画像データとともに前記撮影地名取得手段で取得された該画像データの撮影地名を前記モニタに表示させることを特徴とする請求項５、６又は７に記載の画像記録再生装置。
【発明の詳細な説明】
【技術分野】
【０００１】
本発明は画像記録再生装置に係り、特に画像の記録機能と再生機能とを備えた画像記録再生装置に関する。
【背景技術】
【０００２】
画像をデジタルデータとして記録するデジタルカメラは、通常、画像を撮影する機能に加えて、撮影した画像を再生する機能を備えている。画像の再生は、カメラのモードを再生モードに設定することにより行なわれ、カメラボディに備えられたモニタに撮影した画像が表示される。画像は、通常、最後に撮影された画像が一番最初に表示され、この状態からコマ送りボタンを操作することにより、撮影した順に画像がコマ送りされる。
【０００３】
コマ送りボタンは、通常、カメラボディに備えられた十字ボタンに割り当てられており、この十字ボタンの右ボタンを押すことにより、１コマ画像がコマ送りされ、左ボタンを押すことにより、１コマ画像が逆コマ送りされる（たとえば、特許文献１、２）。
【特許文献１】特開２００２−４０５４０号公報
【特許文献２】特開２００１−１９７４１４号公報
【発明の開示】
【発明が解決しようとする課題】
【０００４】
ところで、通常、デジタルカメラで撮影した画像データは、メモリカード等の交換可能な記録メディアに記録されるが、近年、記録メディアの容量は増加傾向にあり、１枚の記録メディアに膨大な量の画像データを記録できるようになっている。このため、画像の検索に手間がかかり、従来のデジタルカメラのように撮影順にコマ送りをする方法では、目的とする画像に素早くアクセスできないという欠点があった。
【０００５】
本発明は、このような事情に鑑みてなされたもので、画像再生時に目的とする画像をモニタに素早く表示させることができる画像記録再生装置を提供することを目的とする。
【課題を解決するための手段】
【０００６】
請求項１に係る発明は、前記目的を達成するために、撮像手段で撮像された画像データを記録メディアに記録する画像記録機能と、前記記録メディアに記録された画像データをモニタに再生表示する画像再生機能とを備えた画像記録再生装置において、撮影日時を計測する計時手段と、前記撮像手段で撮像された画像データに前記計時手段で計測された撮影日時の情報を付加するとともに、撮影順にファイル番号を付与して前記記録メディアに記録させる記録制御手段と、押圧操作されることにより、前記モニタに再生表示されている画像データの次のファイル番号の画像データが前記モニタに再生表示されるように順コマ送りを指示する順コマ送りボタンと、押圧操作されることにより、前記モニタに再生表示されている画像データの前のファイル番号の画像データが前記モニタに再生表示されるように逆コマ送りを指示する逆コマ送りボタンと、押圧操作されることにより、前記モニタに再生表示されている画像データの次の撮影日の先頭ファイル番号の画像データが前記モニタに再生表示されるように順日付送りを指示する順日付送りボタンと、押圧操作されることにより、前記モニタに再生表示されている画像データの前の撮影日の先頭ファイル番号の画像データが前記モニタに再生表示されるように逆日付送りを指示する逆日付送りボタンと、前記順コマ送りボタン、前記逆コマ送りボタン、前記順日付送りボタン、前記逆日付送りボタンからの指示に応じて前記記録メディアに記録されている画像データの前記モニタへの再生表示を制御する再生制御手段であって、前記順コマ送りボタンから順コマ送りの指示を受けると、前記記録メディアに記録されている各画像データのファイル番号の情報に基づき前記モニタに再生表示されている画像データの次のファイル番号の画像データを前記モニタに再生表示させ、前記逆コマ送りボタンから逆コマ送りの指示を受けると、前記記録メディアに記録されている各画像データのファイル番号の情報に基づき前記モニタに再生表示されている画像データの前のファイル番号の画像データを前記モニタに再生表示させ、前記順日付送りボタンからの順日付送りの指示を受けると、前記記録メディアに記録されている各画像データの撮影日時の情報に基づき前記モニタに再生表示されている画像データの次の撮影日の先頭ファイル番号の画像データを前記モニタに再生表示させ、前記逆日付送りボタンからの逆日付送りの指示を受けると、前記記録メディアに記録されている各画像データの撮影日時の情報に基づき前記モニタに再生表示されている画像データの前の撮影日の先頭ファイル番号の画像データを前記モニタに再生表示させる再生制御手段と、を備えたことを特徴とする画像記録再生装置を提供する。
【０００７】
本発明によれば、順コマ送りボタンを押圧操作すると、モニタに再生表示されている画像データの次のファイル番号の画像データがモニタに再生表示され、逆コマ送りボタンを押圧操作すると、モニタに再生表示されている画像データの前のファイル番号の画像データがモニタに再生表示される。また、順日付送りボタンを押圧操作すると、モニタに再生表示されている画像データの次の撮影日の先頭ファイル番号の画像データ（モニタに再生表示されている画像データの撮影日の次の撮影日に撮影された画像の中で最もファイル番号の小さい画像データ）がモニタに再生表示され、逆日付送りボタンが押圧操作すると、モニタに再生表示されている画像データの前の撮影日の先頭ファイル番号の画像データ（モニタに再生表示されている画像データの撮影日の前の撮影日に撮影された画像の中で最もファイル番号の小さい画像データ）がモニタに再生表示される。このように、撮影日単位でファイル番号をジャンプさせることができるので、目的とする画像をモニタに素早く表示させることができる。
【０００８】
請求項２に係る発明は、前記目的を達成するために、上下左右の４つのボタンからなる十字ボタンを備え、前記十字ボタンの左右いずれか一方に前記順コマ送りボタン、他方に前記逆コマ送りボタン、上下いずれか一方に前記順日付送りボタン、他方に前記逆日付送りボタンの機能が割り当てられる、又は、前記十字ボタンの上下いずれか一方に前記順コマ送りボタン、他方に前記逆コマ送りボタン、左右いずれか一方に前記順日付送りボタン、他方に前記逆日付送りボタンの機能が割り当てられることを特徴とする請求項１に記載の画像記録再生装置を提供する。
【０００９】
本発明によれば、十字ボタンの左右いずれか一方に順コマ送りボタン、他方に逆コマ送りボタンの機能が割り当てられ、上下いずれか一方に順日付送りボタン、他方に逆日付送りボタンの機能が割り当てられる。あるいは、十字ボタンの上下いずれか一方に順コマ送りボタン、他方に逆コマ送りボタンの機能が割り当てられ、左右いずれか一方に順日付送りボタン、他方に逆日付送りボタンの機能が割り当てられる。これにより、コマ送り操作が容易になる。
【００１０】
また、請求項３に係る発明は、前記目的を達成するために、１組の操作ボタンと、１つのファンクションボタンと、備え、前記１組の操作ボタンのいずれか一方に前記順コマ送りボタン、他方に前記逆コマ送りボタンの機能が割り当てられるとともに、前記ファンクションボタンを押圧操作しながら前記１組の操作ボタンを操作することにより、該１組の操作ボタンのいずれか一方に前記順日付送りボタン、他方に前記逆日付送りボタンの機能が割り当てられることを特徴とする請求項１に記載の画像記録再生装置を提供する。
【００１１】
本発明によれば、１組の操作ボタンのいずれか一方に順コマ送りボタン、他方に逆コマ送りボタンの機能が割り当てられる。この１組の操作ボタンは、ファンクションボタンを押しながら押圧操作することにより、一方が順日付送りボタンとして機能し、他方が逆日付送りボタンとして機能する。これにより、設置すべきコマ送り用のボタンの数を減らすことができる。
【００１２】
また、請求項４に係る発明は、前記目的を達成するために、前記順日付送りボタンからの順日付送りの指示に応じて前記モニタに再生表示されている画像データの次の撮影日の画像データの総数を前記記録メディアに記録されている各画像データの撮影日時の情報に基づき算出するとともに、前記逆日付送りボタンからの逆日付送りの指示に応じて前記モニタに再生表示されている画像データの前の撮影日の画像データの総数を前記記録メディアに記録されている各画像データの撮影日時の情報に基づき算出する撮影日コマ数演算手段を備え、前記再生制御装置は、前記順日付送りボタンからの順日付送りの指示に応じて前記モニタに再生表示されている画像データの次の撮影日の先頭ファイル番号の画像データを前記モニタに再生表示させるとともに前記撮影日コマ数演算手段で算出された画像データの総数を前記モニタに表示させ、前記逆日付送りボタンからの逆日付送りの指示に応じて前記モニタに再生表示されている画像データの前の撮影日の先頭ファイル番号の画像データを前記モニタに再生表示させるとともに前記撮影日コマ数演算手段で算出された画像データの総数を前記モニタに表示させることを特徴とする請求項１、２又は３に記載の画像記録再生装置を提供する。
【００１３】
本発明によれば、順日付送りボタンを押圧操作すると、モニタに再生表示されている画像データの次の撮影日の先頭ファイル番号の画像データがモニタに再生表示されるとともに、その撮影日に属する画像データの総数がモニタに表示される。また、逆日付送りボタンを押圧操作すると、モニタに再生表示されている画像データの前の撮影日の先頭ファイル番号の画像データがモニタに再生表示されるとともに、その撮影日に属する画像データの総数がモニタに表示される。これにより、撮影日に属する画像データの総数を把握することができ、画像の検索がより容易になる。
【００１４】
また、請求項５に係る発明は、前記目的を達成するために、撮像手段で撮像された画像データを記録メディアに記録する画像記録機能と、前記記録メディアに記録された画像データをモニタに再生表示する画像再生機能とを備えた画像記録再生装置において、前記撮像手段による撮像時にＧＰＳ衛星から電波を受信し、該電波から緯度と経度からなる位置情報を取得するＧＰＳ受信手段と、前記撮像手段で撮像された画像データに前記ＧＰＳ受信手段で得られた位置情報を付加するとともに、撮影順にファイル番号を付与して前記記録メディアに記録させる記録制御手段と、押圧操作されることにより、前記モニタに再生表示されている画像データの次のファイル番号の画像データが前記モニタに再生表示されるように順コマ送りを指示する順コマ送りボタンと、押圧操作されることにより、前記モニタに再生表示されている画像データの前のファイル番号の画像データが前記モニタに再生表示されるように逆コマ送りを指示する逆コマ送りボタンと、押圧操作されることにより、前記モニタに再生表示されている画像データの次に緯度又は経度の高い画像データが前記モニタに再生表示されるように順地域送りを指示する順地域送りボタンと、押圧操作されることにより、前記モニタに再生表示されている画像データの次に緯度又は経度の低い画像データが前記モニタに再生表示されるように逆地域送りを指示する逆地域送りボタンと、前記順コマ送りボタン、前記逆コマ送りボタン、前記地域送りボタン、前記逆地域送りボタンからの指示に応じて前記記録メディアに記録されている画像データの前記モニタへの再生表示を制御する再生制御手段であって、前記順コマ送りボタンから順コマ送りの指示を受けると、前記記録メディアに記録されている各画像データのファイル番号の情報に基づき前記モニタに再生表示されている画像データの次のファイル番号の画像データを前記モニタに再生表示させ、前記逆コマ送りボタンから逆コマ送りの指示を受けると、前記記録メディアに記録されている各画像データのファイル番号の情報に基づき前記モニタに再生表示されている画像データの前のファイル番号の画像データを前記モニタに再生表示させ、前記順地域送りボタンからの順地域送りの指示を受けると、前記記録メディアに記録されている各画像データの位置情報に基づき前記モニタに再生表示されている画像データの次に緯度又は経度の高い画像データを前記モニタに再生表示させ、前記逆地域送りボタンからの逆地域送りの指示を受けると、前記記録メディアに記録されている各画像データの位置情報に基づき前記モニタに再生表示されている画像データの次に緯度又は経度の低い画像データを前記モニタに再生表示させる再生制御手段と、を備えたことを特徴とする画像記録再生装置を提供する。
【００１５】
本発明によれば、順コマ送りボタンを押圧操作すると、モニタに再生表示されている画像データの次のファイル番号の画像データがモニタに再生表示され、逆コマ送りボタンを押圧操作すると、モニタに再生表示されている画像データの前のファイル番号の画像データがモニタに再生表示される。順地域送りボタンを押圧操作すると、モニタに再生表示されている画像データの次に緯度又は経度の高い画像データがモニタに再生表示され、逆地域送りボタンが押圧操作されると、モニタに再生表示されている画像データの次に緯度又は経度の低い画像データがモニタに再生表示される。これにより、目的とする画像をモニタに素早く表示させることができる。
【００１６】
また、請求項６に係る発明は、前記目的を達成するために、上下左右の４つのボタンからなる十字ボタンを備え、前記十字ボタンの左右いずれか一方に前記順コマ送りボタン、他方に前記逆コマ送りボタン、上下いずれか一方に前記順地域送りボタン、他方に前記逆地域送りボタンの機能が割り当てられる、又は、前記十字ボタンの上下いずれか一方に前記順コマ送りボタン、他方に前記逆コマ送りボタン、左右いずれか一方に前記順地域送りボタン、他方に前記逆地域送りボタンの機能が割り当てられることを特徴とする請求項５に記載の画像記録再生装置を提供する。
【００１７】
本発明によれば、十字ボタンの左右いずれか一方に順コマ送りボタン、他方に逆コマ送りボタンの機能が割り当てられ、上下いずれか一方に順地域送りボタン、他方に逆地域送りボタンの機能が割り当てられる。あるいは、十字ボタンの上下いずれか一方に順コマ送りボタン、他方に逆コマ送りボタンの機能が割り当てられ、左右いずれか一方に順地域送りボタン、他方に逆地域送りボタンの機能が割り当てられる。これにより、コマ送り操作が容易になる。
【００１８】
また、請求項７に係る発明は、前記目的を達成するために、１組の操作ボタンと、１つのファンクションボタンと、備え、前記１組の操作ボタンのいずれか一方に前記順コマ送りボタン、他方に前記逆コマ送りボタンの機能が割り当てられるとともに、前記ファンクションボタンを押圧操作しながら前記１組の操作ボタンを操作することにより、該１組の操作ボタンのいずれか一方に前記順地域送りボタン、他方に前記逆地域送りボタンの機能が割り当てられることを特徴とする請求項５に記載の画像記録再生装置を提供する。
【００１９】
本発明によれば、１組の操作ボタンのいずれか一方に順コマ送りボタン、他方に逆コマ送りボタンの機能が割り当てられる。この１組の操作ボタンは、ファンクションボタンを押しながら押圧操作することにより、一方が順地域送りボタンとして機能し、他方が逆地域送りボタンとして機能する。これにより、設置すべきコマ送り用のボタンの数を減らすことができる。
【００２０】
また、請求項８に係る発明は、前記目的を達成するために、前記ＧＰＳ受信手段で取得される位置情報に対応する地域名の情報が記憶された地域名記憶手段と、前記モニタに再生表示される画像データの位置情報に基づいて該画像データの撮影地名を前記地域名記憶手段から取得する撮影地名取得手段と、を備え、前記再生制御装置は、画像データとともに前記撮影地名取得手段で取得された該画像データの撮影地名を前記モニタに表示させることを特徴とする請求項５、６又は７に記載の画像記録再生装置を提供する。
【００２１】
本発明によれば、順地域送りボタンを押圧操作すると、モニタに再生表示されている画像データの次に緯度又は経度の高い画像データがモニタに再生表示されるとともに、その画像データの撮影地名がモニタに表示される。また、逆地域送りボタンを押圧操作すると、モニタに再生表示されている画像データの次に緯度又は経度の低い画像データがモニタに再生表示されるとともに、その画像データの撮影地名がモニタに表示される。
【発明の効果】
【００２２】
本発明に係る画像記録再生装置によれば、画像再生時に目的とする画像をモニタに素早く表示させることができる。
【発明を実施するための最良の形態】
【００２３】
以下、添付図面に従って本発明に係る記録再生装置を実施するための最良の形態について説明する。
【００２４】
図１、図２は、それぞれ本発明が適用されたデジタルカメラの正面外観図と背面外観図である。
【００２５】
同図に示すように、このデジタルカメラ１０のカメラボディ１２は、横長の直方体形状に形成されている。そして、そのカメラボディ１２の正面には、図１に示すように、レンズ１４、ストロボ１６、ファインダー窓１８、ＡＦ補光ランプ２０、セルフタイマーランプ２２、ストロボ調光センサ２４等が設けられており、上面にはシャッターボタン２６、電源スイッチ２８、モードダイヤル３０等が設けられている。
【００２６】
また、カメラボディ１２の背面には、図２に示すように、モニタ３２、ファインダー３４、ズームボタン３６、メニュー／ＯＫボタン３８、ＢＡＣＫボタン４０、十字ボタン４２等が設けられており、下面には、バッテリーカバー４４、三脚用ねじ穴４６等が設けられている。
【００２７】
レンズ１４は、沈胴式のズームレンズで構成されており、カメラボディ１２のほぼ中央位置に配置されている。
【００２８】
シャッターボタン２６は、「半押し」と「全押し」とからなる二段ストローク式の押圧ボタンで構成されている。デジタルカメラ１０は、このシャッターボタン２６の半押しでＡＥ／ＡＦが作動し、全押しで撮影が実行される。
【００２９】
電源スイッチ２８は、カメラのモードを設定するモードスイッチの機能を兼ねており、「ＯＦＦ位置」⇔「再生位置」⇔「撮影位置」の間をスライド自在に設けられている。デジタルカメラ１０は、この電源スイッチ２８を「再生位置」に位置させることにより、「再生モード」に設定され、記録済み画像の再生が可能になる。また、「撮影位置」に位置させることにより、「撮影モード」に設定され、画像の撮影が可能になる。そして、「ＯＦＦ位置」に位置させることにより、電源がＯＦＦにされる。
【００３０】
モードダイヤル３０は、撮影モードの設定手段として機能し、その設定位置により、撮影モードが「オート撮影モード」、「プログラム撮影モード」、「シャッター速度優先撮影モード」、「絞り優先撮影モード」、「マニュアル撮影モード」、「人物撮影モード」、「風景撮影モード」、「スポーツ撮影モード」、「夜景撮影モード」又は「動画撮影モード」に設定される。
【００３１】
モニタ３２は、カラー表示が可能な液晶ディスプレイで構成されており、カメラボディ１２の背面ほぼ中央に配置されている。デジタルカメラ１０は、このモニタ３２に記録済み画像を再生表示する。また、このモニタ３２は、撮影モード時にスルー画像を表示して電子ファインダとして利用されるとともに、各種設定時のユーザインターフェースとしても利用される。
【００３２】
ズームボタン３６は、ズームの指示手段として機能し、望遠側へのズームを指示するズームテレボタン３６Ｔと、広角側へのズームを支持するズームワイドボタン３６Ｗとで構成されている。
【００３３】
メニュー／ＯＫボタン３８は、モニタ３２にメニュー画面の表示を指示する指示手段として機能するとともに、そのメニュー画面等で選択した内容の確定、実行等を指示する指示手段として機能する。また、ＢＡＣＫボタン４０は、入力操作のキャンセル等を指示する指示手段として機能する。
【００３４】
十字ボタン４２は、上下左右４方向の指示を入力する入力手段として機能し、メニュー画面でメニュー項目の選択などに使用される。また、撮影時には、右キーがストロボボタンとして機能するとともに、左キーがマクロボタンとして機能し、再生時には、画像のコマ送りを指示するボタンとして機能する。なお、このコマ送りの機能については、後に詳述する。
【００３５】
開閉自在なバッテリーカバー４４の内側には、図示しないバッテリー収納室とメモリカードスロットが形成されている。デジタルカメラ１０の電源となるバッテリーは、このバッテリーカバー４４を開けて、バッテリー収納室にセットする。また、画像データを記録するメモリカードも同様にバッテリーカバー４４を開けてメモリカードスロットにセットする。
【００３６】
図３は、図１及び図２に示したデジタルカメラ１０の内部構成を示すブロック図である。
【００３７】
デジタルカメラ１０は、全体の動作を中央処理装置（ＣＰＵ）１００によって統括制御されている。ＣＰＵ１００は、操作部１１２（シャッターボタン２６、電源スイッチ２８、モードダイヤル３０、ズームボタン３６、メニュー／ＯＫボタン３８、ＢＡＣＫボタン４０、十字ボタン４２等）からの入力情報に基づき所定のプログラムに従って各ブロックを制御する。
【００３８】
バス１０２を介してＣＰＵ１００と接続されたＲＯＭ１０４には、このＣＰＵ１００が実行するプログラム及び制御に必要な各種データ等が格納されており、ＥＥＰＲＯＭ１０６には、デジタルカメラ１０の動作に関する各種設定情報等が格納されている。また、メモリ（ＳＤＲＡＭ）１０８は、ＣＰＵ１００の演算作業用領域として利用されるとともに、画像データや音声データの一時記憶領域として利用され、ＶＲＡＭ１１０は、画像データ専用の一時記憶領域として利用される。
【００３９】
ＧＰＳ１１４はアンテナを含み、ＣＰＵ１００からの指令に基づきＧＰＳ衛星からの電波を受信する。そして、その受信電波を解析して位置情報を取得し、取得した位置情報をＣＰＵ１００に出力する。
【００４０】
また、タイマ１１６は、現在日時を計時し、取得した日時情報をＣＰＵ１００に出力する。
【００４１】
電源スイッチ２８を「撮影位置」にスライドさせると、デジタルカメラ１０は電源が投入され、ＲＯＭ１０４に格納されている撮影制御プログラムがロードされて、撮影が可能になる。
【００４２】
レンズ１４を通過した被写体光は、絞り／シャッターユニット１１８を介して撮像素子１２４の受光面に結像される。
【００４３】
撮像素子１２４はＣＣＤであり、その受光面には多数のフォトダイオードが二次元的に配列されている。ＣＣＤ１２４の受光面に結像した被写体光は、各フォトダイオードによって入射光量に応じた量の信号電荷に変換される。
【００４４】
タイミングジェネレータ（ＴＧ）１２６は、ＣＰＵ１００からの指令に従いＣＣＤ１２４に駆動パルスを印加する。ＣＣＤ１２４の各フォトダイオードに蓄積された信号電荷は、このＴＧ１２６から与えられる駆動パルスに基づいて信号電荷に応じた電圧信号（画像信号）として順次読み出される。
【００４５】
なお、このＣＣＤ１２４は、各フォトダイオードの電荷蓄積時間（シャッタースピード）を制御する電子シャッタ機能を有しており、ＣＰＵ１００は、タイミングジェネレータ１２６を介してＣＣＤ１２４の電荷蓄積時間を制御する。
【００４６】
ＣＣＤ１２４から出力された画像信号はアナログ信号処理回路（ＣＤＳ／ＡＭＰ）１２８に加えられる。ＣＤＳ／ＡＭＰ１２８は、ＣＣＤ１２４から読み出された各画素ごとのＲ、Ｇ、Ｂ信号をサンプリングホールド（相関二重サンプリング処理）したのち、所定の信号レベルに増幅し、Ａ／Ｄ変換器１３０に出力する。
【００４７】
Ａ／Ｄ変換器１３０は、アナログ信号処理回路１２８から出力されたアナログのＲ、Ｇ、Ｂ信号をデジタルのＲ、Ｇ、Ｂ信号に変換する。
【００４８】
Ａ／Ｄ変換器１３０でＡ／Ｄ変換されたデジタルのＲ、Ｇ、Ｂ信号は、画像入力コントローラ１３２を介してメモリ１０８に格納される。
【００４９】
画像信号処理回路１３４は、ＣＰＵ１００からの指令に従ってメモリ１０８に格納された画像信号に対してオフセット処理、ホワイトバランス補正及び感度補正を含むゲイン・ コントロール処理、ガンマ補正処理等の所定の信号処理を行い、輝度信号（Ｙ信号）及び色差信号（Ｃr,Ｃb 信号）に変換する。
【００５０】
画像信号処理回路１３４で画像処理が施された画像データはＶＲＡＭ１１０に格納される。撮影画像をモニタ３２に出力する場合は、このＶＲＡＭ１１０に格納された画像データが、文字ＭＩＸ回路１５２を介してビデオエンコーダ１３６に加えられ、ビデオエンコーダ１３６で表示用のビデオ信号に変換される。そして、このビデオ信号がモニタ３２に加えられることにより、ＣＣＤ１２４で捉えた画像がモニタ３２に表示される。
【００５１】
ＣＣＤ１２４から画像信号を定期的に取り込み、その画像信号から生成される画像データによってＶＲＡＭ１１０内の画像データを定期的に書き換え、ビデオエンコーダ１３６を介して連続的にモニタ３２に出力することにより、ＣＣＤ１２４で捉えた画像がリアルタイムに表示される。撮影者は、このモニタ３２にリアルタイムに表示される画像（スルー画像）を見ることにより、モニタ３２を画角確認用のビューファインダとして使用することができる。
【００５２】
なお、文字ＭＩＸ回路１５２は、ＣＰＵ１００からのコマンドに従いメモリ１０８から加えられる文字や記号、図形等のデータとＶＲＡＭ１１０から加えられる画像データとを合成してビデオエンコーダ１３６に出力する。これにより、文字や記号等の情報がスルー画像に重ねて表示される。
【００５３】
デジタルカメラ１０は、シャッターボタン２６が半押しされると、操作部１１２からＣＰＵ１００にＳ１オン信号が入力され、ＣＰＵ１００はＡＥ／ＡＦ処理を開始する。
【００５４】
まず、画像入力コントローラ１３２を介してＣＣＤ１２４から取り込まれた画像信号がＡＦ検出回路１３８並びにＡＥ／ＡＷＢ検出回路１４０に入力される。
【００５５】
ＡＥ／ＡＷＢ検出回路１４０は、１画面を複数のエリア（例えば、１６×１６）に分割し、分割エリアごとにＲ、Ｇ、Ｂ信号を積算する回路を含み、その積算値をＣＰＵ１００に提供する。ＣＰＵ１００は、ＡＥ／ＡＷＢ検出回路１４０から得た積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタースピードを決定し、これに従いＣＣＤ１２４の電子シャッターと絞り駆動部１４２を制御して適正な露光量を得る。
【００５６】
また、ＡＥ／ＡＷＢ検出回路１４０は、自動ホワイトバランス調整時、分割エリアごとにＲ、Ｇ、Ｂ信号の色別の平均積算値を算出し、その算出結果をＣＰＵ１００に提供する。ＣＰＵ１００は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００５７】
ＡＦ検出回路１３８は、高周波成分抽出回路と積算回路とを含み、入力される画像信号のうちＧ成分のデータをサンプリングして所定のフォーカスエリア内での高周波成分を抽出する。そして、その絶対値をとり、設定されたエリア内で絶対値データを積算して得られた値（評価値）をＣＰＵ１００に通知する。ＣＰＵ１００は、レンズ駆動部１４４を制御してフォーカスレンズを移動させながら、複数のＡＦ検出ポイントで評価値を演算し、評価値が極大となるレンズ位置を合焦位置として決定する。そして、求めた合焦位置にフォーカスレンズが移動するようにレンズ駆動部１４４を制御する。
【００５８】
以上のように、デジタルカメラ１０はシャッターボタン２６の半押しに応動して、ＡＥ／ＡＦ処理が行なわれる。そして、この後、シャッターボタン２６が全押しされると、撮影、記録処理が行なわれる。
【００５９】
シャッターボタン２６が全押しされると、ＣＰＵ１００にＳ２オン信号が入力され、このＳ２オン信号に応動してＣＰＵ１００は撮影、記録処理を開始する。
【００６０】
まず、１コマ分の画像信号がＣＣＤ１２４からアナログ信号処理回路１２８、Ａ／Ｄ変換器１３０、画像入力コントローラ１３２を介してメモリ１０８に取り込まれる。また、ＧＰＳ１１４で位置情報が取得される。
【００６１】
メモリ１０８に取り込まれた画像データは、画像信号処理回路１３４で所定の画像処理を施されたのち、再びメモリ１０８に格納される。メモリ１０８に格納された画像データは、圧縮伸張処理回路１４６によって所定の圧縮フォーマット（たとえばＪＰＥＧ形式）で圧縮された後、メディアコントローラ１４８を介して所定の画像ファイルフォーマット（たとえば、Ｅｉｘｆ形式）の画像ファイルとしてメモリカード１５０に記録される。
【００６２】
この際、タイマ１１６で計時された現在日時の情報とＧＰＳ１１４で取得された位置情報とが、画像ファイルのヘッダ部に付属情報として記録される。すなわち、たとえば図４に示すように、Ｅｘｉｆ形式の画像ファイルでは、付属情報を画像ファイルヘッダ部にタグ形式で記録し利用することができ、その付属情報タグに撮影日時や撮影条件（シャッター速度や絞り値、測光方式など）、撮影時の位置を示すＧＰＳ情報（緯度や経度の位置情報）を記録できるようにされている。
【００６３】
また、メモリカード１５０に記録される画像ファイルには、所定のアルファベットの４文字からなる文字列と、撮影順に付与される４桁の番号とからなるファイル名が付与され、所定のフォルダに格納される。
【００６４】
図５は、メモリカード１５０の記憶領域に作成されるフォルダのフォルダ構造である。同図に示すように、「ルート」フォルダの下位層に「ＤＣＩＭ」フォルダが作成され、その「ＤＣＩＭ」フォルダの下位層に「ＦＵＪＩ＿１００」フォルダが作成される。そして、その「ＦＵＪＩ＿１００」フォルダに画像ファイルが格納される。
【００６５】
画像ファイルは、図５に示すように、アルファベット４文字からなる文字列「ＤＳＣＦ」と４桁のファイル番号とを組み合わせて構成され、ファイル番号は撮影順に付与される。すなわち、一番最初に撮影された画像データには、「ＤＳＣＦ０００１」というファイル名が付与され、二番目に撮影された画像データには「ＤＳＣＦ０００２」というファイル名が付与される。ファイル番号は、「０００１」〜「９９９９」まで与えることができ、「９９９９」まで与えられると、「ＤＣＩＭ」フォルダの下位層に「ＦＵＪＩ＿１０１」フォルダが新規に作成される。そして、その新規作成されたフォルダに「０００１」から順にファイル番号が付与されて、画像ファイルが記録される。なお、このフォルダは、３桁のフォルダ番号と５文字の文字列「ＦＵＪＩ＿」とを組み合わせて構成され、フォルダ番号は「１００」から作成順に付与される。
【００６６】
以上のように、カメラのモードを撮影モードに設定し、シャッターボタン２６を押圧操作することで画像が撮影され、メモリカードに記録される。
【００６７】
そして、このようにしてメモリカード１５０に記録された画像ファイルは、カメラのモードを再生モードに設定することでモニタ３２に再生表示される。
【００６８】
すなわち、電源スイッチ２８を「再生位置」にスライドさせると、ＲＯＭ１０４に格納されている再生制御プログラムがロードされ、メモリカード１５０から画像データが読み出される。この際、メモリカード１５０からは、最も大きいファイル番号の画像データ（通常はメモリカード１５０に最後に記録された画像データ）が読み出される。
【００６９】
メモリカード１５０から読み出された画像データは、圧縮伸張処理回路１４６に加えられ、非圧縮のＹＣ信号に伸張されたのち、ビデオエンコーダ１３６を介してモニタ３２に出力される。これにより、図６（ａ）に示すように、メモリカード１５０に記録されている画像がモニタ３２に再生表示される。
【００７０】
この際、モニタ３２には、再生中の画像データのコマ番号と撮影日時とが再生画像に重ねて表示される。コマ番号は、「フォルダ番号」と「ファイル番号」とをハイフン（−）で組み合わせてなり、たとえば、「ＦＵＪＩ＿１００」のフォルダに格納された、「ＤＳＣＦ００１０」というファイル名の画像データであれば、図６（ａ）に示すように、「１００−００１０」というコマ番号が表示される。
【００７１】
また、この画像の撮影日時が、２００３年１１月５日の午後３時１８分であれば、図６（ａ）に示すように、「２００３．１１．５  ３：１８  ＰＭ」という「撮影日」と「撮影時間」の情報が再生画像に重ねて表示される。
【００７２】
画像のコマ送りは、十字ボタン４２の操作で行なわれ、十字ボタン４２の右キーが押されると、再生中の画像の次のファイル番号の画像データがメモリカード１５０から読み出され、モニタ３２に再生表示される（順コマ送り）。すなわち、ＣＰＵ１００は、画像再生中に十字ボタン４２の右キーから操作信号を入力すると、再生中の画像のファイル番号を取得し、そのファイル番号の次のファイル番号の画像データ（次のファイル番号の画像データが消去されている場合は、その次のファイル番号の画像データ）をメモリカード１５０から読み出し、圧縮伸張処理回路１４６に加える。そして、圧縮伸張処理回路１４６で伸張処理させた後、ビデオエンコーダ１３６を介してモニタ３２に出力させる。これにより、図６（ｂ）に示すように、画像が順コマ送りされ、次のファイル番号の画像（ファイル番号００１１）が、モニタ３２に再生表示される。
【００７３】
また、十字ボタン４２の左キーが押されると、再生中の画像の前のファイル番号の画像データがメモリカード１５０から読み出され、モニタ３２に再生表示される（逆コマ送り）。すなわち、ＣＰＵ１００は、画像再生中に十字ボタン４２の右キーから操作信号を入力すると、再生中の画像のファイル番号を取得し、そのファイル番号の前のファイル番号の画像データ（前のファイル番号の画像データが消去されている場合は、その前のファイル番号の画像データ）をメモリカード１５０から読み出し、圧縮伸張処理回路１４６に加える。そして、圧縮伸張処理回路１４６で伸張処理させた後、ビデオエンコーダ１３６を介してモニタ３２に出力させる。これにより、画像が逆コマ送りされ、前のファイル番号の画像が、モニタ３２に再生表示される。
【００７４】
なお、再生中の画像のファイル番号が、メモリカード１５０に記録されている画像ファイルの中で最も大きい場合、順コマ送りすると、最も小さなファイル番号の画像（通常は一番最初にメモリカード１５０に記録された画像）が、メモリカード１５０から読み出され、モニタ３２に再生表示される。
【００７５】
また、再生中の画像のファイル番号が、メモリカード１５０に記録されている画像ファイルの中で最も小さい場合、逆コマ送りすると、最も大きなファイル番号の画像が、メモリカード１５０から読み出され、モニタ３２に再生表示される。
【００７６】
さて、上記のように本実施の形態のデジタルカメラ１０では、十字ボタン４２の右キーで順コマ送り、左キーで逆コマ送りが行なわれるが、さらに、十字ボタン４２の上キーと下キーの操作で撮影日単位でのコマ送りを行なうことができるようにされている。
【００７７】
以下、この日付単位でのコマ送り（「順日付送り」と「逆日付送り」）の処理手順について説明する。
【００７８】
順日付送りの指示は、十字ボタン４２の上キーで行なわれ、この上キーが押圧操作されると、モニタ３２に再生表示されている画像の次の撮影日の先頭ファイル番号の画像がモニタ３２に再生表示される。
【００７９】
一方、逆日付送りの指示は、十字ボタン４２の下キーで行なわれ、この下キーが押圧操作されると、モニタ３２に再生表示されている画像の前の撮影日の先頭ファイル番号の画像がモニタ３２に再生表示される。
【００８０】
たとえば、図５に示すように、２００３年１１月１日〜２００３年１１月２３日までの間に撮影された５４枚の画像ファイルが、メモリカード１５０に記録されているものとする。
【００８１】
いま、図７（ａ）に示すように、２００３年１１月５日に撮影されたファイル名「ＤＳＣＦ００１０」という画像がモニタ３２に再生表示されているものとし、この状態で十字ボタン４２の上キーが押圧操作されると、画像が「順日付送り」され、図７（ｂ）に示すように、２００３年１１月８日に撮影された画像（ファイル名：ＤＳＣＦ００４１）がモニタ３２に再生表示される。すなわち、再生中の画像（ファイル名：ＤＳＣＦ００１０）の撮影日は、２００３年１１月５日であり、その次の撮影日は、図５に示すように、２００３年１１月８日なので、その２００３年１１月８日に撮影された１０枚の画像（ファイル名：ＤＳＣＦ００４１〜ＤＳＣＦ００５０）の中で一番ファイル番号の小さい画像（先頭ファイル番号の画像）である「ＤＳＣＦ００４１」という画像がモニタ３２に再生表示される。
【００８２】
この「順日付送り」の処理は次のように行なわれる。画像再生中に十字ボタン４２の上キーが押されると、その操作信号がＣＰＵ１００に入力される。ＣＰＵ１００は、この十字ボタン４２の上キーからの操作信号を入力すると、再生中の画像の緯度情報を当該画像ファイルのヘッダに記録された付属情報から取得する。そして、その緯度の次に高い緯度情報を有する画像をメモリカード１５０の中から検索し、検索した画像データを読み出す。そして、圧縮伸張処理回路１４６で伸張処理させた後、ビデオエンコーダ１３６を介してモニタ３２に出力させる。これにより、画像が「順日付送り」され、図７（ｂ）に示すように、再生中の画像の次の撮影日の画像が、モニタ３２に再生表示される。
【００８３】
なお、この「順日付送り」の操作が行なわれると、図７（ｂ）に示すように、モニタ３２には、「撮影日」の情報と共に、その撮影日に撮影された画像の「コマ数」の情報が表示される。たとえば、図５に示すように、２００３年１１月５日については、１０枚の画像ファイルが存在するので、図７（ｂ）に示すように、モニタ３２にはコマ数が［１０］と表示される。この「コマ数」は、画像検索時に取得される。
【００８４】
このように、十字ボタン４２の上キーが押されると、「順日付送り」が行なわれ、モニタ３２に再生表示されている画像の次の撮影日の先頭ファイル番号の画像がモニタ３２に再生表示される。
【００８５】
一方、２００３年１１月５日に撮影されたファイル名「ＤＳＣＦ００１０」という画像がモニタ３２に再生表示されている状態で十字ボタン４２の下キーが押圧操作されると、「逆日付送り」され、図７（ｃ）に示すように、２００３年１１月１日に撮影された画像（ファイル名：ＤＳＣＦ０００１）がモニタ３２に再生表示される。すなわち、再生中の画像（ファイル名：ＤＳＣＦ００１０）の撮影日は、２００３年１１月５日であり、その前の撮影日は、図５に示すように、２００３年１１月１日なので、その２００３年１１月１日に撮影された４枚の画像（ＤＳＣＦ０００１〜ＤＳＣＦ０００４）の中で一番ファイル番号の小さい画像（先頭ファイル番号の画像）である「ＤＳＣＦ０００１」という画像がモニタ３２に再生表示される。
【００８６】
この「逆日付送り」の処理は次のように行なわれる。画像再生中に十字ボタン４２の下キーが押されると、その操作信号がＣＰＵ１００に入力される。ＣＰＵ１００は、十字ボタン４２の下キーからの操作信号を入力すると、再生中の画像の撮影日の情報を当該画像ファイルのヘッダに記録された付属情報から取得する。そして、その撮影日の前の撮影日の画像をメモリカード１５０の中から検索し、検索した画像の中で最もファイル番号の小さい画像ファイルの画像データを読み出す。そして、圧縮伸張処理回路１４６で伸張処理させた後、ビデオエンコーダ１３６を介してモニタ３２に出力させる。これにより、画像が「逆日付送り」され、図７（ｃ）に示すように、再生中の画像の前の撮影日の画像が、モニタ３２に再生表示される。
【００８７】
なお、この「逆日付送り」の操作が行なわれた場合も、図７（ｃ）に示すように、モニタ３２に「撮影日」の情報と共に、その撮影日に撮影された画像の「コマ数」の情報が表示される。
【００８８】
このように、本実施の形態のデジタルカメラ１０では、十字ボタン４２の右キーと左キーとによる画像の順コマ送りと逆コマ送りの機能に加えて、十字ボタン４２の上キーと下キーとによる画像の順日付送りと逆日付送りの機能を備えている。これにより、撮影日に基づく画像の検索が容易になり、目的とする画像に素早くアクセスすることができるようになる。
【００８９】
また、順日付送り又は逆日付送りをした場合には、その撮影日に撮影された画像の総数（コマ数）がモニタ３２に表示されるため、より効率的に画像検索することができる。
【００９０】
次に、本発明が適用されたデジタルカメラの第２の実施の形態について説明する。上述した第１の実施の形態のデジタルカメラでは、画像再生時に十字ボタン４２の上キーを操作すると画像が順日付送りされ、下キーを操作すると画像が逆日付送りされたが、本実施の形態のデジタルカメラでは、画像再生時に十字ボタン４２の上キーを操作すると画像が順地域送りされ、下キーを操作すると画像が逆地域送りされる。
【００９１】
順地域送りとは、画像を緯度の高い方に向かって順にコマ送りするものであり、逆地域送りとは、画像を緯度の低い方に向かって順にコマ送りするものである。
【００９２】
なお、十字ボタン４２の右キーを操作すると画像が順コマ送りされ、左キーを操作すると画像が逆コマ送りされる点は、上述した第１の実施の形態のデジタルカメラと同じである。また、デジタルカメラの構成も上述した第１の実施の形態のデジタルカメラと同じである。したがって、ここでは順地域送りと逆地域送りとによる画像再生の処理の手順についてのみ説明する。
【００９３】
上述したようにデジタルカメラ１０は、ＧＰＳ１１４を備えており、撮影された画像データには、ＧＰＳ１１４で計測された位置情報が記録される。
【００９４】
いま、たとえば、図８に示すような位置情報をメモリカード１５０に記録された各画像データが有しているものとする。
【００９５】
そして、図９（ａ）に示すように、北緯３５度４１分、東経１３９度４５分という位置情報を有する画像（ファイル名：ＤＳＣＦ０００５）がモニタ３２に再生表示されているものとする。
【００９６】
この状態で十字ボタン４２の上キーが押圧操作されると、画像が「順地域送り」され、図９（ｂ）に示すように、北緯４３度０３分、東経１４１度２１分という位置情報を有する画像（ファイル名：ＤＳＣＦ０００１）がモニタ３２に再生表示される。すなわち、再生中の画像（ファイル名：ＤＳＣＦ０００５）の位置情報は、北緯３５度４１分、東経１３９度４５分であり、この次に高い緯度情報を有する画像ファイルは、図８に示すように、北緯４３度０３分、東経１４１度２１分という位置情報を有する「ＤＳＣＦ０００１」であるから、この北緯３５度４１分、東経１３９度４５分という位置情報を有する画像（ファイル名：ＤＳＣＦ０００１）がモニタ３２に再生表示される。なお、図８に示すように、北緯４３度０３分という緯度情報を有する画像ファイルは、ＤＳＣＦ０００１の他にＤＳＣＦ０００２という画像ファイルが存在するが、同じ緯度情報を有する画像が複数存在する場合は、ファイル番号が小さい画像が優先して表示される。
【００９７】
この「順地域送り」の再生処理は、次のように行なわれる。画像再生中に十字ボタン４２の上キーが押されると、その操作信号がＣＰＵ１００に入力される。ＣＰＵ１００は、十字ボタン４２の上キーから操作信号を入力すると、再生中の画像の緯度情報を当該画像ファイルのヘッダに記録された付属情報から取得する。そして、その次に高い緯度情報を有する画像データをメモリカード１５０の中から検索する。そして、検索した画像データをメモリカード１５０から読み出し、圧縮伸張処理回路１４６で伸張処理させた後、ビデオエンコーダ１３６を介してモニタ３２に出力させる。これにより、画像が「順地域送り」され、図９（ｂ）に示すように、表示中の画像の次に緯度が高い地域で撮影された画像が、モニタ３２に再生表示される。
【００９８】
なお、この「順地域送り」の操作が行なわれると、図９（ｂ）に示すように、モニタ３２には、「撮影日」の情報と共に、その「撮影地」の情報が表示される。
【００９９】
すなわち、ＣＰＵ１００は、次に緯度の高い画像データをメモリカード１５０から読み出すと共に、その画像データの位置情報（緯度情報と経度情報）をヘッダ部に記録された付属情報から取得する。そして、ＥＥＰＲＯＭ１０６に格納されている「地名データベース」に基づき当該位置情報が適合する地名を取得し、撮影日の情報とともに撮影地の情報としてモニタ３２に表示させる。
【０１００】
なお、「地名データベース」は、図１０に示すように、位置情報（緯度情報と経度情報）と地名とを対応付けて記録したものであり、位置情報から地名を検索できるようにされている。
【０１０１】
このように、十字ボタン４２の上キーが押されると、「順地域送り」が行なわれ、モニタ３２に再生表示されている画像の次に緯度の高い地域で撮影された画像がモニタ３２に再生表示される。
【０１０２】
一方、図９（ａ）に示すように、北緯３５度４１分、東経１３９度４５分という位置情報を有する画像（ファイル名：ＤＳＣＦ０００５）がモニタ３２に再生表示されている状態で十字ボタン４２の下キーが押圧操作されると、画像が「逆地域送り」され、図９（ｃ）に示すように、北緯３５度００分、東経１３５度４６分という位置情報を有する画像（ファイル名：ＤＳＣＦ００１０）がモニタ３２に再生表示される。すなわち、再生中の画像（ファイル名：ＤＳＣＦ０００５）の位置情報は、北緯３５度４１分、東経１３９度４５分であり、この次に低い緯度情報を有する画像ファイルは、図８に示すように、北緯３５度００分、東経１３５度４６分という位置情報を有する「ＤＳＣＦ００１０」であるから、この北緯３５度００分、東経１３５度４６分という位置情報を有する画像（ファイル名：ＤＳＣＦ００１０）がモニタ３２に再生表示される。なお、図８に示すように、北緯３５度００分という緯度情報を有する画像ファイルは、ＤＳＣＦ００１０の他にＤＳＣＦ００１１という画像ファイルが存在するが、同じ緯度情報を有する画像が複数存在する場合は、ファイル番号が小さい画像が優先して表示される。
【０１０３】
この「逆地域送り」の再生処理は、次のように行なわれる。画像再生中に十字ボタン４２の下キーが押されると、その操作信号がＣＰＵ１００に入力される。ＣＰＵ１００は、十字ボタン４２の下キーから操作信号を入力すると、再生中の画像の緯度情報を当該画像ファイルのヘッダに記録された付属情報から取得する。そして、その次に低い緯度情報を有する画像データをメモリカード１５０の中から検索する。そして、検索した画像データをメモリカード１５０から読み出し、圧縮伸張処理回路１４６で伸張処理させた後、ビデオエンコーダ１３６を介してモニタ３２に出力させる。これにより、画像が「逆地域送り」され、図９（ｃ）に示すように、表示中の画像の次に緯度が低い地域で撮影された画像が、モニタ３２に再生表示される。
【０１０４】
なお、この「逆地域送り」の操作が行なわれた場合も、図９（ｃ）に示すように、モニタ３２に「撮影地」の情報が表示される。
【０１０５】
このように、十字ボタン４２の下キーが押されると、「逆地域送り」が行なわれ、モニタ３２に再生表示されている画像の次に緯度の低い地域で撮影された画像がモニタ３２に再生表示される。
【０１０６】
以上説明したように、本実施の形態のデジタルカメラによれば、十字ボタン４２の右キーと左キーとによる画像の順コマ送りと逆コマ送りの機能に加えて、十字ボタン４２の上キーと下キーとによる画像の順地域送りと逆地域送りの機能を備えている。これにより、撮影地域に基づく画像の検索が容易になり、目的とする画像に素早くアクセスすることができるようになる。
【０１０７】
また、順地域送り又は逆地域送りをした場合には、その撮影地名の情報がモニタ３２に表示されるため、より効率的に画像検索することができる。
【０１０８】
なお、本実施の形態では、緯度情報に基づき順地域送りと逆地域送りの処理を行なっているが、経度情報に基づいて順地域送りと逆地域送りの処理を行なってもよい。すなわち、十字ボタン４２の上キーを押すと、再生中の画像の次に大きい経度情報を有する画像がモニタ３２に再生表示され、下キーを押すと、再生中の画像の次に小さい経度情報を有する画像がモニタ３２に再生表示されるようにする。
【０１０９】
また、上述した一連の実施の形態では、十字ボタン４２にコマ送りの機能を割り当てているが、コマ送り専用のボタンを設けてもよい。
【０１１０】
また、上記第１の実施の形態では、十字ボタン４２の右キーで順コマ送り、左キーで逆コマ送り、上キーで順日付送り、下キーで逆日付送りの指示が行なわれ、第２の実施の形態では、十字ボタン４２の右キーで順コマ送り、左キーで逆コマ送り、上キーで順地域送り、下キーで逆地域送りの指示が行なわれているが、各キーに割り当てる機能の組み合わせは任意であり、たとえば、十字ボタン４２の右キーで順日付送り、左キーで逆日付送り、上キーで順コマ送り、下キーで逆コマ送りの指示を行なうようにしてもよい。同様に十字ボタン４２の右キーで順地域送り、左キーで逆地域送り、上キーで順コマ送り、下キーで逆コマ送りの指示を行なうようにしてもよい。
【０１１１】
さらに、十字ボタン４２の４つのキーの中の２つと他の１つボタンとの組み合わせでコマ送りの機能を実現させてもよい。たとえば、十字ボタン４２の左右のキーとシャッターボタン２６を利用し、十字ボタン４２の右キーを単独で操作した場合は順コマ送りの指示が行なわれ、左キーを単独で操作した場合は逆コマ送りの指示が行なわれるようにする。そして、シャッターボタン２６と右キーを同時に操作した場合は、順日付送りの指示が行なわれ、シャッターボタン２６と左キーを同時に操作した場合は、逆日付送りの指示が行なわれるようにする。
【０１１２】
また、たとえば、十字ボタン４２の右キーを単独で操作した場合は順コマ送り、左キーを単独で操作した場合は逆コマ送り、シャッターボタン２６と右キーを同時に操作した場合は順地域送り、シャッターボタン２６と左キーを同時に操作した場合は逆地域送りの指示が行なわれるようにてもよい。
【０１１３】
この場合、使用するボタンの組み合わせは任意であり、十字ボタン４２の上下のキーとシャッターボタン２６を利用してもよいし、シャッターボタン２６に代えて他のボタンを使用してもよい。
【０１１４】
また、十字ボタン４２と組み合わせて使用するボタンには、シャッターボタン２６のように通常は撮影時にのみ使用するボタンを用いることが好ましく、これにより、別途ボタンを設置する必要がなくなり、装置構成をシンプルにできるとともに製造コストを削減することができる。
【０１１５】
また、十字ボタン４２と他の１つのボタンとの組み合わせで順コマ送り、逆コマ送り、順日付送り、逆日付送り、順地域送り、逆地域送りの全てのコマ送りの指示が行なえるようにしてもよい。たとえば、十字ボタン４２とシャッターボタン２６とを利用し、十字ボタン４２の右キーを単独で操作した場合は順コマ送り、左キーを単独で操作した場合は逆コマ送り、十字ボタン４２の上キーを単独で操作した場合は順日付送り、十字ボタン４２の下キーを単独で操作した場合は順日付送りが行なわれるようにする。そして、十字ボタン４２の上キーとシャッターボタン２６とを同時に操作した場合は順地域送りの指示が行なわれ、十字ボタン４２の下キーとシャッターボタン２６とを同時に操作した場合は逆地域送りの指示が行なわれるようにする。
【０１１６】
さらに、上記実施の形態では、カメラ本体にＧＰＳを備えているが、外部のＧＰＳ装置（たとえば、カーナビゲーションシステムなど）から位置情報を取得するようにしてもよい。
【０１１７】
なお、上述した実施の形態では、本発明をデジタルカメラに適用した場合を例に説明したが、撮影機能を備えた携帯電話機等にも同様に適用することができる。
【図面の簡単な説明】
【０１１８】
【図１】本発明が適用されたデジタルカメラの正面外観図
【図２】本発明が適用されたデジタルカメラの背面外観図
【図３】デジタルカメラの内部構成を示すブロック図
【図４】画像ファイルの構造を示す図
【図５】メモリカードの記憶領域に作成されるフォルダのフォルダ構造を示す図
【図６】順コマ送り時におけるモニタの画像表示例を示す図
【図７】順日付送り時及び逆日付送り時におけるモニタの画像表示例を示す図
【図８】メモリカードの記憶領域に作成されるフォルダのフォルダ構造を示す図
【図９】順地域送り時及び逆地域送り時におけるモニタの画像表示例を示す図
【図１０】地名データベースの説明図
【符号の説明】
【０１１９】
１０…デジタルカメラ、１２…カメラボディ、１４…レンズ、１６…ストロボ、１８…ファインダー窓、２０…ＡＦ補光ランプ、２２…セルフタイマーランプ、２４…ストロボ調光センサ、２６…シャッターボタン、２８…電源スイッチ、３０…モードダイヤル、３２…モニタ、３４…ファインダー、３６…ズームボタン、３８…メニュー／ＯＫボタン、４０…ＢＡＣＫボタン、４２…十字ボタン、４４…バッテリーカバー、４６…三脚用ねじ穴、１００…ＣＰＵ、１０２…バス、１０４…ＲＯＭ、１０６…ＥＥＰＲＯＭ、１０８…メモリ（ＳＤＲＡＭ）、１１０…ＶＲＡＭ、１１２…操作部、１１４…ＧＰＳ、１１６…タイマ、１２４…撮像素子（ＣＣＤ）、１２６…タイミングジェネレータ（ＴＧ）、１２８…アナログ信号処理回路（ＣＤＳ／ＡＭＰ）、１３０…Ａ／Ｄ変換器、１３２…画像入力コントローラ、１３４…画像信号処理回路、１３６…ビデオエンコーダ、１３８…ＡＦ検出回路、１４０…ＡＥ／ＡＷＢ検出回路、１４２…絞り駆動部、１４４…レンズ駆動部、１４６…圧縮伸張処理回路、１４８…メディアコントローラ、１５０…メモリカード、１５２…文字ＭＩＸ回路
【図１】
2005277971.tif 000003
【図２】
2005277971.tif 000004
【図３】
2005277971.tif 000005
【図４】
2005277971.tif 000006
【図５】
2005277971.tif 000007
【図６】
2005277971.tif 000008
【図７】
2005277971.tif 000009
【図８】
2005277971.tif 000010
【図９】
2005277971.tif 000011
【図１０】
2005277971.tif 000012